(57)【要約】      （修正有）【課題】動作中にフードプロセッサのノイズレベルを低減する、フードプロセッサのための筐体【解決手段】フードプロセッサのための筐体１０は、フードプロセッサのベース部１２に固定されるよう適合された本体部１８と、本体部に対して回動可能に取り付けられたカバー１６と、を含んでいる。本体部は、側壁３０と、後部壁３２と、短い上部壁と、を含んでいる。カバーは、側壁３６と、正面壁３８と、上部壁４０と、短い後部壁４２と、を含んでいる。フランジが、本体部の側壁および上部壁から外方に延びており、また、フランジ上に筐体のカバーと本体部との間の封止部を生成するためのガスケット６０が設けられている。【選択図】図１
2014111159.tif 000002
【特許請求の範囲】
【請求項１】
フードプロセッサのための筐体において、
フードプロセッサのベース部に固定されるよう適合された本体部と、
前記本体部に対して回動可能に固定され、開放位置と閉鎖位置との間で移動可能となっ
ているカバーと、
前記カバーが閉鎖位置にあるとき前記カバーと前記本体部との間に位置づけられるガス
ケットと、を備えたことを特徴とする筐体。
【請求項２】
前記ガスケットが、熱可塑性エラストマー材料から構成されていることを特徴とする請
求項１に記載の筐体。
【請求項３】
前記本体部は、対向する側壁と、前記側壁の間に延びる後部壁と、上部壁と、フードプ
ロセッサのベース部に固定されるよう適合された底部と、を含み、
前記カバーは、対向する側壁と、前記カバーの前記側壁の間に延びる正面壁と、上部壁
と、を含むことを特徴とする請求項１に記載の筐体。
【請求項４】
前記本体部の前記側壁の各々から外方に延びるフランジをさらに備えたことを特徴とす
る請求項３に記載の筐体。
【請求項５】
前記ガスケットが、前記カバーが閉鎖位置にあるとき前記フランジと前記カバーとの間
に配置されていることを特徴とする請求項４に記載の筐体。
【請求項６】
フードプロセッサのための筐体において、
フードプロセッサのベース部に固定されるよう適合された本体部と、
前記本体部に対して回動可能に固定され、開放位置と閉鎖位置との間で移動可能となっ
ているカバーと、
封止用のガスケットと、を備え、
前記本体部は、対向する側壁と、前記側壁の間に延びる後部壁と、上部壁と、を含み、
前記ガスケットは、前記本体部の前記側壁および前記上部壁の一部を覆うとともに、前
記カバーが閉鎖位置にあるとき前記本体部と前記カバーとの間に配置されていることを特
徴とする筐体。
【請求項７】
前記カバーは、後端部を有する対向する側壁と、前記側壁の間に延びる正面壁と、上部
壁と、を含み、
前記本体部の前記側壁は、外方に延びるフランジであって、前記カバーの前記側壁の前
記後端部を反映するよう形づけられたフランジを含むことを特徴とする請求項６に記載の
筐体。
【請求項８】
前記ガスケットは、前記本体部の前記側壁上の前記フランジの前方を向いた面上に配置
されたへりを有し、
前記カバーの前記後端部は、前記カバーが閉鎖位置にあるとき前記ガスケットの前記へ
りに当接していることを特徴とする請求項７に記載の筐体。
【請求項９】
前記カバーは、前記正面壁に対向する前記上部壁の端部から下方に延びる後部フランジ
を含み、
前記後部フランジは、前記カバーの前記側壁の間で横方向に延びていることを特徴とす
る請求項８に記載の筐体。
【請求項１０】
前記本体部の前記上部壁は、上方に延びる上部フランジを含み、
前記ガスケットは、前記上部フランジの後方を向いた面上に配置された上部分を含み、
前記カバー上の前記後部フランジは、前記カバーが閉鎖位置にあるとき前記ガスケット
の前記上部分に当接していることを特徴とする請求項９に記載の筐体。
【請求項１１】
前記ガスケットは、前記本体部の側壁に沿うとともに前記後部壁を横切って延びる底部
分を含み、
前記底部分は、前記本体部上の所定位置に前記ガスケットを固定するよう適合されてい
ることを特徴とする請求項６に記載の筐体。
【請求項１２】
前記ガスケットが、熱可塑性エラストマーから構成されていることを特徴とする請求項
６に記載の筐体。
【請求項１３】
フードプロセッサのための筐体において、
フードプロセッサのベース部に固定されるよう適合された本体部であって、外方に延び
るフランジを含む本体部と、
前記本体部に対して回動可能に固定され、開放位置と閉鎖位置との間で移動可能となっ
ているカバーであって、内方に延びるフランジを含むカバーと、
前記外方に延びるフランジおよび前記内方に延びるフランジの一方の上に配置されたガ
スケットであって、前記カバーが閉鎖位置にあるときに前記外方に延びるフランジおよび
前記内方に延びるフランジの双方の間で双方に当接するよう配置されているガスケットと
、を備えたことを特徴とする筐体。
【請求項１４】
前記本体部は、対向する側壁と、前記側壁の間に延びる後部壁と、上部壁と、を含み、
前記外方に延びるフランジは、前記側壁および前記上部壁から延びていることを特徴と
する請求項１３に記載の筐体。
【請求項１５】
前記カバーは、対向する側壁と、前記側壁の間に延びる正面壁と、上部壁と、を含み、
前記内方に延びるフランジは、前記カバーの前記側壁および前記カバーの前記上部壁か
ら延びていることを特徴とする請求項１４に記載の筐体。
【請求項１６】
前記カバーは、本体部の各側壁から外方に延びるソケットによって前記本体部に回動可
能に接続されており、
前記ソケットは、前記カバーの各側壁における孔に受け入れられており、
前記ソケットおよび前記孔が、前記カバーの回転軸を画定していることを特徴とする請
求項１５に記載の筐体。
【請求項１７】
前記本体部の前記外方に延びるフランジは、前記ソケットにより上部フランジおよび底
部フランジに分割されており、
前記上部フランジは、前記ソケットから上方に延びており、
前記底部フランジは、前記ソケットから下方に延びていることを特徴とする請求項１６
に記載の筐体。
【請求項１８】
前記カバーの前記内方に延びるフランジは、前記孔により上側フランジおよび下側フラ
ンジに分割されており、
前記上側フランジは、前記孔から上方に延びており、
前記下側フランジは、前記孔から下方に延びていることを特徴とする請求項１７に記載
の筐体。
【請求項１９】
前記ガスケットは、前記底部フランジの前方を向いた面上および前記上部フランジの後
方を向いた面上に配置されていることを特徴とする請求項１８に記載の筐体。
【請求項２０】
前記ガスケットが、熱可塑性エラストマーから構成されていることを特徴とする請求項
１３に記載の筐体。
【発明の詳細な説明】
【技術分野】
【０００１】
本出願は、２００８年８月１５日に出願された米国仮特許出願第６１／１８９，１７２
号、および２００９年３月２日に出願された米国仮特許出願第６１／２０９，０６３号の
優先権を主張するものであり、これら仮特許出願は、参照することにより本願に組み入れ
られる。
【０００２】
本発明は、フードプロセッサから生じるノイズを弱めるためにフードプロセッサを収容
する筐体に関する。とりわけ本発明は、メイン本体部とカバーとを有する筐体であって、
カバーがメイン本体部に対して蝶番式に取り付けられており、また、メイン本体部とカバ
ーとの間に音波低減封止部を生成するためメイン本体部にエラストマー封止部が設けられ
ている、筐体に関する。
【背景技術】
【０００３】
電気的なフードプロセッサやブレンダーに関連する一般的な問題は、フードプロセッサ
が動作しているときに生成されるノイズである。これらの装置により生成されるノイズの
量は、混合がしばしば氷の粉砕を伴いながらブレンダーの容器の内側で行われるというこ
と、並びに、ブレンダーの電気モーターにより生成されるノイズ振動の両方の結果となっ
ている。フードプロセッサにより生成されるノイズのレベルは、レストラン、フードスタ
ンドおよびコーヒーショップなど、特にフードプロセッサが顧客用のサービスカウンター
の近傍に配置されている場所において、商業的環境上とりわけ厄介なものとなっている。
【０００４】
筐体は、容器を隔離し、そして動作中のノイズを低減するため、フードプロセッサに大
抵設けられている。そのような筐体は、例えば米国特許公報Ｎｏ．Ｄ４２７，０１６に示
されている技術において知られている。これらの筐体は、動作中のフードプロセッサのノ
イズを消すよう設計されている。大抵の筐体は、２つの構成要素から形成されており、２
つの構成要素は、メイン本体部とカバーとからなっている。カバーは一般に、筐体のメイ
ン本体部に対して蝶番式に取り付けられており、筐体は、ブレンダーのベース部に取り付
けられている。筐体のメイン本体部は、従来技術で知られている多数の方法によってベー
ス部に固定され得る。それらの方法は、例えば、さねはぎのアタッチメント、機械的締め
具によるものであり、または、米国仮特許出願第６１／１３５，４８０に記載されている
ような磁気的手段によるものである。ベース部は、電気モーターと、使用者によるスター
ト・ストップおよびフードプロセッサのスピード調整を可能にする制御モジュールと、を
含んでいる。ブレンダーの容器がベース部上に配置されるとき、ベース部は、筐体のカバ
ーをそのメイン本体部に対して旋回させることによりアクセスされ得る。
【０００５】
多くの場合において、従来の筐体は、フードプロセッサのノイズレベルを抑制する上で
所望の結果を提供していない。筐体における期待よりも低い働きは、少なくとも部分的に
、筐体のメイン本体部とカバーとの間の効果のない封止部に起因している。効果的な封止
部の欠如は、ノイズが筐体へもれることを可能にするが、一方で、カバーがメイン本体部
に対して振動することをも可能にし、このことは、潜在的にさらなるノイズ源を生成する
。これらの振動は、フードプロセッサのベース部材の電気モーターからベース部材へ伝達
され、その後、筐体のメイン本体部へ伝達される。
【０００６】
従って、フードプロセッサの動作により生成されるノイズレベルを著しく低減すること
に効果的な筐体を有するフードプロセッサへの要求が存在している。
【発明の概要】
【発明が解決しようとする課題】
【０００７】
従って、動作中にフードプロセッサのノイズレベルを低減する、フードプロセッサのた
めの筐体を提供することが、本発明の一側面における目的である。
【０００８】
上記の筐体であって、筐体の本体部と回動するカバーとの間の封止部を提供する筐体を
提供することが、本発明のその他の側面における目的である。
【０００９】
本発明におけるこれらの、およびその他の目的は、従来技術の形態より優れた本発明に
よる利点とともに、以下の説明により明らかになり、また、後述され、およびクレームさ
れる改良により達成される。
【課題を解決するための手段】
【００１０】
一般に、本発明の概念によるフードプロセッサのための筐体は、フードプロセッサのベ
ース部に固定されるよう適合された本体部と、本体部に対して回動可能に固定され、開放
位置と閉鎖位置との間で移動可能となっているカバーと、を含んでいる。カバーが閉鎖位
置にあるとき、カバーと本体部との間にガスケットが配置されている。
【００１１】
本発明の少なくとも１つの側面によれば、フードプロセッサのための筐体は、フードプ
ロセッサのベース部に固定されるよう適合された本体部と、本体部に対して回動可能に固
定され、開放位置と閉鎖位置との間で移動可能となっているカバーと、を含んでいる。本
体部は、対向する側壁と、側壁の間に延びる後部壁と、上部壁とを含んでいる。封止用の
ガスケットが、本体部の側壁および上部壁の一部を覆っており）、このガスケットは、カ
バーが閉鎖位置にあるとき本体部とカバーとの間に配置されている。
【００１２】
本発明の少なくとも１つの側面によれば、フードプロセッサのための筐体は、フードプ
ロセッサのベース部に固定されるよう適合された本体部を含んでおり、本体部は、外方に
延びるフランジを有している。また、カバーが設けられており、このカバーは、本体部に
対して回動可能に固定され、かつ、開放位置と閉鎖位置との間で移動可能となっている。
カバーは、内方に延びるフランジを有している。ガスケットが、外方に延びるフランジ上
または内方に延びるフランジ上に配置されており、このガスケットは、カバーが閉鎖位置
にあるときに外方に延びるフランジおよび内方に延びるフランジの双方の間で双方に当接
するよう配置されている。
【００１３】
本発明の概念によるフードプロセッサのための好ましい例示的な筐体は、本発明が構成
され得る全ての様々な形態および修正を示そうとすることなく、付随する図に例示的に示
されている。本発明は、従属クレームにより境界が定められるが、明細書の詳細によって
は境界が定められない。
【図面の簡単な説明】
【００１４】
【図１】図１は、本発明の一形態によるフードプロセッサおよび筐体の斜視図であり    、開放位置にある筐体を示している。
【図２】図２は、閉鎖状態にある筐体を有する図１のフードプロセッサの斜視図であ    る。
【図３】図３は、図１のフードプロセッサおよび筐体の断面図である。
【図４】図４は、図１に示されるフードプロセッサのための筐体のカバーの斜視図で    ある。
【図５】図５は、図１に示されるフードプロセッサのための筐体の本体部の斜視図で    ある。
【図６】図６は、図１に示されるフードプロセッサのための筐体のガスケットの斜視    図である。
【図７】図７は、本発明によるフードプロセッサおよび筐体のその他の形態の斜視図    であり、開放位置にある筐体を示している。
【図８】図８は、図７のフードプロセッサの筐体の正面図と、フードプロセッサの容    器部分とを示している。
【図９】図９は、概して図８の線９−９から見た場合の断面図である。
【図１０】図１０は、図９と同様の断面図であり、閉鎖位置にあるカバーを示してい    る。
【発明を実施するための形態】
【００１５】
本発明によるフードプロセッサのための筐体の一形態が、図１−６に示されており、ま
た概して符号１０により表されている。フードプロセッサは、概して符号１２により表さ
れるベース部材を含んでおり、ベース部材は、ブレンダーを動作させるためのモーターを
収容している。筐体１０は、カバー１６と、ベース部材１２に取り付けられるよう設計さ
れた本体部１８とを含んでいる。フードプロセッサはさらに、回転する一組のブレードを
その中に有し、かつ、材料を包含するとともに混合するよう用いられる容器（図示せず）
を含んでいる。そのようなものとして、フードプロセッサの容器は、ベース部材１２上に
配置されており、かつ、ブレンダーの動作により生成されるノイズを消すよう、混合の間
、筐体１０の内側に収容されている。
【００１６】
ベース部材１２は、大抵、その表面のうちの一面に設けられた制御パネル２２を含んで
いる。制御パネル２２により、ブレンダーをスイッチオンおよびオフすることができ、ま
た、モーターの回転速度を調整することができる。また、開口部（図示せず）がベース部
材１２に設けられていてもよく、これによって、電気コードがその内側から通ることがで
き、これによって、ベース部材１２の内側に収容されたモーターへ電力を供給することが
できる。ベース部材１２はまた、その上面に設けられた隆起した台座部２４を含んでおり
、台座部２４は、容器の底部分に受け入れられるよう適合されている。台座部２４は、１
つまたは２つ以上のパッド２６を含んでいてもよい。パッド２６は、容器のベース部分に
よって受け入れられているとき、ベース部材１２の内側のモーターが作動されているとき
に容器が回転するのを防止する。加えて、台座部２４はまた、回転するモーターシャフト
のスプラインが入れられた端部を受け入れる。スプラインが入れられた駆動シャフトが、
ブレンダーのブレードから容器の内側へ延びており、この駆動シャフトは、ベース部材１
２において、回転するモーターシャフトのスプラインが入れられた端部に係合する。モー
ター１４の作動により引き起こされるモーターシャフトの回転は、これによって、従来技
術においてよく知られているように、駆動シャフトおよび容器の内側に回転可能に配置さ
れたブレードに伝達される。
【００１７】
筐体１０の本体部１８は、後部壁３２および短い上部壁３４まで広がる、対向する側壁
３０を含んでいる（図５）。本体部１８は、後部壁３２に対向し、開放された正面エリア
を有しており、正面エリアは、筐体１０を形成するようカバー１６によって覆われている
。カバー１６は、正面壁３８、上部壁４０および短い背面壁４２まで広がる、対向する側
壁３６を含んでいる。カバーの側壁３６、正面壁３８および上部壁４０は、カバー１６が
本体部の側壁３０の重複部分上に適合するよう、横方向における寸法および間隔が定めら
れている。
【００１８】
カバー１６および本体部１８は、透明な熱可塑性材料、例えばポリカーボネートまたは
ポリエステルから構成され得る。これによって、ブレンダーの容器がカバー１６とともに
ベース部材１２上に閉鎖位置で配置されているときに、ブレンダーの容器が視認可能とな
っている。または、ウィンドウ４４がカバー１６および本体部１８の両方に設けられてい
てもよく、これによって、筐体１０の内側にある容器が視認可能となっている。
【００１９】
カバー１６は、従来技術において知られている方法により、本体部１８に対して回動可
能に接続されている。これによって、カバー１６が閉鎖位置から開放位置へ動かされるよ
うになっており、このことにより、筐体１０の内部へのアクセスが可能となっている。そ
のようなものとして、本体部１８の側壁３０上の一対のソケット４６およびカバー１６の
側壁３６における対応する一対の孔４８によって蝶番組立体が形成されていてもよい。孔
４８は、ソケット４６に適合するよう寸法決めされている。従って、ソケット４６が孔４
８の内側に配置されるとき、カバー１６は、ソケット４６により画定される軸により、本
体部１８に対して回動可能な状態になっている。
【００２０】
本体部１８はまた、側壁３０の底にある底部５０と、後部壁３２とを含んでいる。底部
５０は、筐体１０をフードプロセッサのベース部材１２に対して固定するよう適合されて
いる。底部５０は、従来技術において当業者に周知の方法によってベース部材１２に固定
され得る。そのようなものとして、例えば、蝶ねじを含む締め具の利用によるさねはぎの
アタッチメントによるもの、または、磁気的手段によるものがある。ベース部材１２から
筐体１０へ伝達される振動を低減するため、底部５０とベース部材１２との間に、振動減
衰封止部が任意に設けられていてもよい。これによって、フードプロセッサにより生成さ
れるノイズをさらに低減することができる。
【００２１】
本体部１８の各側壁３０は、側壁３０上で外方に延びる突出部５４を含んでいる（図５
）。各突出部５４は、側壁３０の外面に沿って上方へ向かっている。また各突出部５４は
、カバー１６の側壁３６の後端部５６に概して平行するよう構成されている。従って、側
壁３６の後端部５６が丸みをつけられた形状を有する場所において、図１乃至６に示され
る形態のように、側壁３６上の突出部５４もまた丸みをつけられた形状を有している。側
壁３６の後端部５６および突出部５４における一致した形状は、後端部５６および突出部
５４が突出部の全長に沿って直接に接触することを確実にしている。
【００２２】
ガスケットが、符号６０により概して表され、図６において最もよく示されているが、
このガスケット６０は、カバー１６が閉鎖位置にあるときに封止部を生成するよう、筐体
１０の本体部１８の一部に適合されている。ガスケット６０は、側部分６２と、横方向に
間隔をあけて配置された側部分６２の間に延びる上部分６４と、を含んでいる。またガス
ケット６０は、任意ではあるが、底部分６６を含んでいてもよい。ガスケット６０は、本
体部１８に寄り添うように適合するよう成形された単一の一体部分からなっている。この
ガスケット６０は、当業者により知られている方法によって本体部１８に固定され得る。
知られている方法は、例えば、ガスケット６０と本体部１８との間に接着剤を供給するこ
とによる方法を含む。ガスケット６０は、音波および振動を減衰させる封止部をカバー１
６に対して提供することができる様々な材料から構成され得る。例えば、熱可塑性エラス
トマーから構成され得る。
【００２３】
ガスケット６０の側部分６２は、そこから外方に延びるへり６８を含んでおり、また、
本体部１８から延びる突出部５４と同一の形状を有している。ガスケット６０が本体部１
８上に配置されるとき、へり６８が、突出部５４に隣接および当接する。そのようなこと
が、ガスケット６０の適切な位置決めを確実にすることを補助し、また後述するように、
側壁３６の後端部５６に対する優れた封止をもたらす。ガスケット６０の側部分６２は、
カバー１６の孔４８に整合し、かつその間を通ってソケット４６が延びることができるよ
う寸法決めおよび位置決めが行われた孔７０を含んでいる。ガスケット６０の上部分６４
は、本体部１８の短い上部壁３４の外面を横切って延びている。ガスケット６０の底部分
６６は、側壁３０および後部壁３２の外面の底端部のまわりに延びている。
【００２４】
ガスケット６０は、筐体１０のカバー１６のための封止面をもたらす。カバー１６が閉
鎖位置にあるとき、側壁３６の後端部５６がガスケット６０のへり６８に当接し、これに
よって、それらの間に封止部を形成する。加えて、側壁３６の内面がガスケット６０の側
部分６２に当接しており、これによって、筐体１０の内側で生成されるノイズに対するさ
らなる封止部をもたらす。ガスケット６０の上部分６４が、カバー１６の短い背面壁４２
によって係合され、筐体１０の上部を横切る封止部をもたらす。従って、カバー１６の表
面は直接的には本体部１８に当接していないけれども、カバー１６が閉鎖位置にあるとき
、完全な封止部が筐体１０のためにもたらされる。このことが、本体部１８とカバー１６
との間で伝達される振動の量を著しく低減し、また、筐体１０の内側で生じる混合によっ
て生成されるノイズに対して、大きく改善された防音壁をもたらす。
【００２５】
本発明により構成される筐体のその他の形態が、図７−１０に示されており、また概し
て符号１１０により表されている。筐体１１０は、上述の筐体１０と略同一となっており
、同様の構成要素にはそれに応じて符号が付されている。フードプロセッサは、概して符
号１１２により表されるベース部材を含んでいる。ベース部材１１２は、ブレンダーを動
作させるモーターを収容している。筐体１１０は、ベース部材１１２に取り付けられるよ
う適合されたカバー１１６および本体部１１８を含んでいる。フードプロセッサはまた、
その中に一組の回転ブレードを有するとともに、材料を包含および混合するよう用いられ
る容器１２０を含んでいる。そのようなものとして、容器１２０は、フードプロセッサの
動作中、ベース部材１１２上に配置される。また容器１２０は、フードプロセッサの動作
により生成されるノイズを消すため、筐体１１０の内側に収容される。
【００２６】
ベース部材１１２は、上述のベース部材１２と同一のものであり、また、制御パネル１
２２、隆起した台座部１２４および隆起した台座部１２４上のパッド１２６を含んでいる
。回転するモーターシャフトのスプラインが入れられた端部が、隆起した台座部１２４を
通って延びており、また、ブレンダーのブレードから容器の内側へ延びるスプラインが入
れられた駆動シャフトに適合されている。従って、従来技術において周知となっているよ
うに、モーターシャフトの回転が、駆動シャフトおよび容器１２０の内側に回転可能に配
置されたブレードに伝達される。
【００２７】
筐体１１０の本体部１１８は、対向する側壁１３０であって、その間に後部壁１３２お
よび短い上部壁１３４が広がる側壁１３０を含んでいる。本体部１１８は、後部壁１３２
に対向する開口した正面領域を有しており（図８）、正面領域は、筐体１１０を形成する
ようカバー１１６によって閉鎖されている。筐体１１０のカバー１１６は、閉鎖位置から
開放位置へ動かされ、これによって筐体１１０の内部へのアクセスを可能とするよう、本
体部１１８に回動可能に固定されている。カバー１１６は、対向する側壁１３６であって
、その間に正面壁１３８、上部壁１４０および短い背面壁１４２が広がる側壁１３６を含
んでいる（図８および図９）。カバーの側壁１３６、正面壁１３８および上部壁１４０は
、カバー１１６が本体部の側壁１３０の重複部分上に適合するよう、横方向における寸法
および間隔が定められている。
【００２８】
カバー１１６は、従来技術において知られている方法により、本体部１１８に対して回
動可能に接続され得る。例えば、本体部１１８の側壁１３０上の一対のソケット１４６お
よびカバー１１６の側壁１３６における対応する孔１４８により形成された蝶番組立体に
より接続され得る。カバー１１６は、従って、ソケット１４６によって画定される軸上に
おいて本体部１１８に対して回動可能になっている。
【００２９】
本体部１１８はまた、側壁１３０および後部壁１３２の底にある底部１５０を含んでい
る。底部１５０は、筐体１１０をブレンダーのベース部材１１２に対して固定するよう適
合されている。底部１５０は、従来技術において当業者に周知の方法によってベース部材
１１２に固定され得る。例えば、さねはぎのアタッチメントによって、または機械的締め
具を利用することによって、または、磁石を利用することによって固定され得る。ベース
部材から筐体１１０へ伝達される振動を低減するため、底部１５０とベース部材１１２と
の間に、振動減衰封止部が任意に設けられていてもよい。これによって、ブレンダーによ
り生成されるノイズをさらに低減することができる。
【００３０】
筐体１１０の本体部１１８の各側壁１３０は、図９および図１０において最も良く示さ
れているように、上部で外方に突出する封止用のフランジ１５２と、底部で外方に突出す
る封止用のフランジ１５４とを含んでいる。上部フランジ１５２はソケット１４６から本
体部１１８の上部へ延びており、また、底部フランジ１５４はソケット１４６から本体部
１１８の底部へ延びている。上部フランジ１５２および底部フランジ１５４は、概して、
両方のフランジがソケット１４６に向かって湾曲しながら、本体部１１８の側壁１３０の
輪郭に沿うよう示されている。しかしながら、本発明の範囲から逸脱することなく、その
他の形態で上部フランジ１５２および底部フランジ１５４が設けられ得るということが、
当業者であれば理解可能である。例えば、上部フランジ１５２および底部フランジ１５４
が、変形例によれば、ソケット１４６により中断されるが、側壁１３０の正面の底部のコ
ーナーから側壁１３０の上部の後部のコーナーへ延びるほぼ真直ぐなフランジとして設け
られていてもよい。上部フランジ１５２および底部フランジ１５４は、本体部１１８の側
壁１３０から約９０度外方へ、筐体１１０全体の寸法と比較して小さな距離だけ延びてい
る。例えば、上部フランジ１５２および底部フランジ１５４は、側壁１３０から外方へ約
０．１０〜０．５０インチの間の所定距離だけ延びている。
【００３１】
上部ガスケット１５６は、上部フランジ１５２上に、後部壁１３２と向かい合うよう設
けられている。底部ガスケット１５８も、同様に底部フランジ１５４上に、後部壁１３２
と向かい合わないよう設けられている。上部ガスケット１５６および底部ガスケット１５
８は、当業者に知られている材料であって、カバー１１６と本体部１１８との間の振動を
低減することができ、かつ、音波低減封止部をもたらすことができる材料から構成され得
る。例えば、上部ガスケット１５６および底部ガスケット１５８は、熱可塑性エラストマ
ーから構成され得る。上部フランジ１５２および底部フランジ１５４と、上部ガスケット
１５６および底部ガスケット１５８とは、両方の側壁１３０上においてほぼ同一となって
いる。上部ガスケット１５６および底部ガスケット１５８は、それぞれ、当業者に知られ
ている接着剤によって上部フランジ１５２および底部フランジ１５４に固定され得る。
【００３２】
上方に突出している背面フランジ１６０は、本体部１１８の短い上部壁１３４に沿って
側壁１３０上の２つの上部フランジ１５２の間に設けられている。背面フランジ１６０は
、上部フランジ１５２および底部フランジ１５４と同様のものとなっている。背面フラン
ジ１６０は、上部壁１３４から、約０．１０〜０．５０インチの範囲内の所定距離だけ上
方に突出していてもよい。背面フランジ１６０はまた、両方の側壁１３０上において上部
フランジ１５２と一体化されていてもよく、これによって、実質的に、連続的なフランジ
が、各ソケット１４８から側壁１３０まで、短い上部壁１３４を横切って延びることがで
きる。背面ガスケット１６２が、後部壁１３２に向かい合う面上で背面フランジ１６０に
設けられている。背面ガスケット１６２は、上部ガスケット１５６および底部ガスケット
１５８と同一の材料からなっており、また側壁のガスケットの場合と同一の方法によって
フランジに取り付けられている。
【００３３】
カバー１１６の側壁１３６は、それぞれ、内方に突出した上側フランジ１６４と、内方
に突出した下側フランジ１６６とを有している。上側フランジ１６４は、孔１４８から上
部壁１４０へ延びており、また下側フランジ１６６は、孔１４８からカバーの側壁１３６
の底部へ延びている。上側フランジ１６４および下側フランジ１６６は、本体部１１８の
上部フランジ１５２、底部フランジ１５４および背面フランジ１６０とほぼ同一となって
おり、側壁１３６から約０．１０〜０．５０インチの範囲内の所定距離だけ突出している
。カバー１１６上の上側フランジ１６４および下側フランジ１６６もまた、上部フランジ
１５２および底部フランジ１５４の形状を反映したものとなっており、また、カバー１１
６の内側に配置されている。これによって、カバー１１６が閉鎖位置にあるとき、上側フ
ランジ１６４が上部ガスケット１５６に係合し、また下側フランジ１６６が底部ガスケッ
ト１５８に係合する。同時に、カバー１１６が閉鎖されているとき、背面の封止部を形成
するために背面ガスケット１６２がカバー１１６の短い背面壁１４２に係合する。上部ガ
スケット１５６および背面ガスケット１６２を上部フランジ１５２および背面フランジ１
６０の後部に配置することにより、カバーが回転する能力を妨げることなく、カバーの回
動点の上方に完全な封止部を形成するフランジがカバー１１６の内側に設けられ得る。同
様に、底部ガスケット１５８を底部フランジ１５４の正面に配置することにより、カバー
が回転する能力を妨げることなく、完全な封止部を提供する内側フランジがカバー１１６
の内側に設けられ得る
【００３４】
筐体のガスケットを支持するためのフランジの包含は、側壁１３０の外面のみへのまた
は側壁１３６の内面のみへの接着性ガスケットの変形例である。また、フランジおよびガ
スケットの構造のため、カバー１１６の重量は、カバー１１６が閉鎖されているとき、カ
バーのフランジと筐体の本体部上のガスケットとの間の封止部を維持するよう作用する。
【００３５】
上述のようにして構成されるフードプロセッサのための筐体が、本発明の目的を達成し
、さもなくば技術を実質的に改善するということは明らかである。
【図１】
2014111159.tif 000003
【図２】
2014111159.tif 000004
【図３】
2014111159.tif 000005
【図４】
2014111159.tif 000006
【図５】
2014111159.tif 000007
【図６】
2014111159.tif 000008
【図７】
2014111159.tif 000009
【図８】
2014111159.tif 000010
【図９】
2014111159.tif 000011
【図１０】
2014111159.tif 000012
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
ブレンダーのための筐体において、
本体部と、
前記本体部に対して回動可能に固定され、開放位置と閉鎖位置との間で移動可能となっているカバーと、
前記カバーが閉鎖位置にあるとき前記カバーと前記本体部との間に位置づけられるガスケットと、を備えたことを特徴とする筐体。
【請求項２】
前記本体部は、その間に後部壁の広がる、対向する側壁を含み、
前記カバーは、その間に正面壁の広がる、対向する側壁を含み、
前記ガスケットは、前記本体部の側壁及び前記カバーの側壁の少なくとも一方に配置されていることを特徴とする請求項１に記載の筐体。
【請求項３】
前記ガスケットは、前記カバーの表面が直接的に前記本体部に当接していないにも関わらず、前記カバーが閉鎖位置にあるときに完全な封止部をもたらすことを特徴とする請求項１に記載の筐体。
【請求項４】
前記カバーは、一対のソケットと当該一対のソケットに適合するように寸法決めされた対応の孔とで形成される蝶番組立体によって、前記本体部に対して回動可能に固定されていることを特徴とする請求項１に記載の筐体。
【請求項５】
前記ガスケットは、側部分と、横方向に間隔をあけて配置された前記側部分の間に延びる上部分と、を含むことを特徴とする請求項１に記載の筐体。
【請求項６】
前記ガスケットは、更に、底部分を含むことを特徴とする請求項５に記載の筐体。
【請求項７】
前記ガスケットは単一の一体部分であることを特徴とする請求項５に記載の筐体。
【請求項８】
前記本体部は、前記ブレンダーのベース部材に取り付けられるよう設計されていることを特徴とする請求項１に記載の筐体。
【請求項９】
前記カバー及び前記本体部が、透明な熱可塑性材料で構成され、
前記ガスケットが、熱可塑性エラストマー材料から構成されている、ことを特徴とする請求項１に記載の筐体。
【請求項１０】
前記ガスケットは、音波及び振動を減衰させる封止部を提供することのできる材料で構成されていることを特徴とする請求項１に記載の筐体。
【請求項１１】
前記本体部は、側壁と、後部壁と、該側壁及び該後部壁の底に位置する底部と、を含むことを特徴とする請求項１に記載の筐体。